(57)【特許請求の範囲】
【請求項１】
高速道路施工時や架橋施工時等にその高速道路や架橋等の下方に足場として吊設され、足場上で施工作業を行う直前に前記足場を組み付けるようにした足場施工方法であって、上下の親パイプが複数の繋ぎ板材でその上下間隔を保った状態に一体に形成され、下部の親パイプの一端側に接続用パイプが取り付けられた足場用吊り枠を用い、先ず、前後に配設された足場用吊り枠の上部の各親パイプを高速道路や架橋等から吊り下げられたチェーンで吊設し、これら前後の足場用吊り枠における下部の親パイプ間に板材保持用の渡しパイプを複数列架け渡して取付固定し、これらの複数列の板材保持用の渡しパイプ上に複数枚の足場用板材を敷き詰めて第１足場を構成し、次に、前記第１足場の足場用吊り枠の下部の親パイプに予め取り付けられた短管状の連結用パイプの先端に開閉式連結具の一方側を仮付けし、この開閉式連結具の他方側に第２足場の足場用吊り枠の下部の親パイプを接続するために、第１足場に対して略水平方向横向きにワイヤーで吊設した第２足場の足場用吊り枠の下部の親パイプを連結状態に仮付けして、前記第２足場の足場用吊り枠を第１足場の足場用吊り枠に対して直線状になるように徐々に移動して、第２足場の足場用吊り枠の下部の親パイプの先端を、前記第１足場の足場用吊り枠の下部の親パイプに取り付けた短管状の連結用パイプに嵌め込んで、互いの足場用吊り枠の下部の親パイプを一直線状になるように連結し、互いの足場用吊り枠の上部の親パイプ同士を別に予め用意していた長管状の連結パイプで取付固定具を用いて連結固定してから、前記開閉式連結具を取り除き、第２足場の前後の下部の各親パイプ間に板材保持用の渡しパイプを複数列架け渡して取付固定し、これらの複数列の板材保持用の渡しパイプ上に複数枚の足場用板材を敷き詰めて第２足場を構成し、順次上記施工作業を繰り返して第３足場以上を連設して所望の長さの足場を施工するようにしたことを特徴とする足場施工方法。
【請求項２】
前記第１足場の後側の下部の親パイプの上に、前後方向に別の複数列の板材保持用の渡しパイプを、前記第１足場より奥方向に所定間隔おいてチェーンで吊設された奥側足場用吊り枠の下部の親パイプまで架け渡して取付固定し、これらの複数列の板材保持用の渡しパイプ上に複数枚の足場用板材を敷き詰めて奥側足場を構成して、順次上記施工作業を繰り返して奥側足場を拡げて所望の幅の足場を施工するようにしたことを特徴とする請求項１に記載の足場施工方法。
【請求項３】
前記渡しパイプとして角パイプを用いて施工するようにしたことを特徴とする請求項１又は請求項２に記載の足場施工方法。
【発明の詳細な説明】
【０００１】
【発明の属する技術分野】
本発明は、高速道路施工時や架橋施工時等にその高速道路や架橋等の下方に足場用として吊設するときに用いられる足場用吊り金具、足場用吊り枠及び足場施工方法に関する。
【０００２】
【従来の技術】
従来、高速道路施工時や架橋施工時等にその高速道路や架橋等の下方に設置される足場として、図２３〜図２５に示す一般的な足場や通称ＳＫパネル、ＧＳパネルと呼ばれる足場が使用されている。
図２３〜図２５に示す一般的な足場は、奥行き方向に複数本の親パイプ１０１を高速道路等の下方に複数本のチェーン１０２で吊設し、これらの親パイプ１０１の上に長手方向に複数本の渡しパイプ１０３を架け渡してから、これらの渡しパイプ１０３の上に複数枚の平板材１０４を敷き詰めるようにしている。
【０００３】
ところが、これにおいては、長手方向に隙間ができないように、図２３に示すように、平板材１０４の端部の上面に他の平板材１０４の端部を載せるようにして敷き詰めているので、この上部に飛び出た平板材１０４の端縁１０４ａに作業員が足を引っ掛けて倒れたりすることがあり、危険で作業が行ない難いとともに、図２４、図２５に示すように、平板材１０４の下方の親パイプ１０１をチェーン１０２で吊るようにしているので、平板材１０４と平板材１０４との間に大きな隙間１０５ができるので、この隙間１０５から作業員が手に持っていた作業用工具を落下させること等があって、非常に危険であるという問題があった。
【０００４】
ＳＫパネルと称される足場は、図２６に示すように、長手方向に３本のパイプ２０１を所定間隔おいて平設し、これら３本のパイプ２０１の両端に別のパイプ２０２を溶着して枠体２０３を形成し、この枠体２０３の上に、両端に３本のパイプ２０１が若干突出するように、板材２０４を載置して取付固定してパネル単体２０５を構成し、この状態で、１枚目のパネル単体２０５の四隅をチェーン（図示略）で高速道路等の下方に吊設し、振れ止めのパイプ（図示略）で固定する。
【０００５】
次に、図２７に示すように、複数枚のパネル単体２０５を連結するには、図２８に示すように、１枚目のパネル単体２０５の両端のパイプ２０２と２枚目のパネル単体２０５の両端のパイプに接続用短管２０６を差し込んで、安全ピン（図示略）で抜けないように止め、ロックボルト（図示略）を締めて接続固定し、この作業を繰り返して複数枚のパネル単体２０５を幅方向に連設する。
【０００６】
次に、長手方向にパネル単体２０５を連設するには、図２９（ａ）（ｂ）（ｃ）に示すように、連設するパネル単体２０５の片方は、自在クランプ２０７で止め、他方はチェーン２０８で吊るようにして、この作業を繰り返す。
そして、連設した複数枚のパネル単体２０５の上面にはらおこし用パイプ２０９を渡して取付固定する。
その後に、自在クランプ２０７で止めた箇所の開口部２１０を隙間プレート（図示略）で塞いでＳＫパネル全体を構成する。
【０００７】
ところが、このＳＫパネルと称される足場においては、チェーン２０８で吊る箇所がある程度限られ、更に、この吊設取付作業に熟練していない作業員の落下事故が多く発生し、また、コスト高になり、しかも開口部２１０が多くできる等の問題点があった。
更に、パネルの上面にはらおこし用パイプ２０９が露出しているので、施工作業時に、このはらおこし用パイプ２０９に作業員が足を引っ掛けて倒れたりすることがあり、危険で作業が行ない難いという問題があった。
【０００８】
ＧＳパネルと称される足場は、図３０に示す親パイプ３０１を幅方向に２本以上チェーン（図示略）で高速道路等の下側に吊設し、これらの親パイプ３０１の間に、図３１（ｂ）に示すように、渡しパイプ３０２を複数本差し込んで、親パイプ３０１の側面側に立設したピン３０３を渡しパイプ３０２に穿設された貫通孔３０４に差し込んで連結固定する。
次に、図３１（ａ）に示すように、複数枚の渡しパイプ３０２の上面に複数枚の平板材３０５を敷き詰め、フラットバンド３０６で複数枚の平板材３０５を止めて固定する。
【０００９】
そして、上記した作業を繰り返し、パネルの上面にはらおこし用パイプ３０７を架け渡して固定する。
また、各パネルを連設するには、図３２（ｂ）に示すように、対向する親パイプ３０１に連結用短管３０８を差し込んで、ピン３０９とボルト３１０とで取付固定している。
【００１０】
ところが、このＧＳパネルと称される足場においては、図３２（ａ）に示すように、チェーンＴを吊る箇所がある程度限られ、更に、作業床の広さが約２ｍまでに限られ、しかも、はらおこし用パイプ３０６が平板材３０５の上面に露出しているので、施工作業時に、このはらおこし用パイプ３０７に作業員が足を引っ掛けて倒れたりすることがあり、危険で作業が行ない難いという問題があった。
【００１１】
また、図３３に示すように、上記した各足場では、チェーンＴを平板材４０２の下側に位置する親パイプ４０３に架けなくてはならないために、足場を施工した後に、平板材４０２の上面にシート４０４を敷く場合に、隙間４０５部分を除いた部分に敷かなくてはならないために、このシート４０４が敷き難いという問題があった。
【００１２】
更に、図３４（ａ）に示すのは、水平向きに配設された上下２本のパイプ５０１、５０２間に複数の繋ぎ板材５０３を縦向き及び斜め向きにして上下２本のパイプ５０１、５０２と一体化したものがあるが、これは、図３４（ｂ）に示すように、建造物（図示略）の側方に組み立てられた足場５０３の中間部の空間部の上部の水平枠５０３ａの下側に取り付けて使用するものであり、高速道路や架橋等の下方に吊り下げて使用するものではなかった。
【００１３】
【発明が解決しようとする課題】
本発明は、上記従来の問題を解消し、現存する資材を使用して制作することができて、資材の調達に不自由するとこなく安価に入手することができ、安価に制作することができ、しかも施工し易く、作業床部分を広く取ることができて作業を行ない易く、チェーンを足場用板材の上側に位置する親パイプに架けて足場を吊設することができて隙間の大きさを最小限に抑えることができて、作業用工具等の落下を防ぐことができて安全であり、はらおこし用パイプを足場用板材の上面に架け渡すことがなくて足場用板材の上面をフラットな面にできて作業が行ない易く、しかも、架橋等の下方に足場を吊り上げるためのクレーン車等を置く場所の無い場所でも足場を組み付けて設置することができる作業性の良い足場用吊り金具、足場用吊り枠及び足場施工方法を提供することを目的としている。
【００１４】
【課題を解決するための手段】
本発明は、上記課題を解決するために提案されたものであって、請求項１に記載の発明は、高速道路施工時や架橋施工時等にその高速道路や架橋等の下方に足場として吊設され、足場上で施工作業を行う直前に前記足場を組み付けるようにした足場施工方法であって、上下の親パイプが複数の繋ぎ板材でその上下間隔を保った状態に一体に形成され、下部の親パイプの一端側に接続用パイプが取り付けられた足場用吊り枠を用い、先ず、前後に配設された足場用吊り枠の上部の各親パイプを高速道路や架橋等から吊り下げられたチェーンで吊設し、これら前後の足場用吊り枠における下部の親パイプ間に板材保持用の渡しパイプを複数列架け渡して取付固定し、これらの複数列の板材保持用の渡しパイプ上に複数枚の足場用板材を敷き詰めて第１足場を構成し、次に、前記第１足場の足場用吊り枠の下部の親パイプに予め取り付けられた短管状の連結用パイプの先端に開閉式連結具の一方側を仮付けし、この開閉式連結具の他方側に第２足場の足場用吊り枠の下部の親パイプを接続するために、第１足場に対して略水平方向横向きにワイヤーで吊設した第２足場の足場用吊り枠の下部の親パイプを連結状態に仮付けして、前記第２足場の足場用吊り枠を第１足場の足場用吊り枠に対して直線状になるように徐々に移動して、第２足場の足場用吊り枠の下部の親パイプの先端を、前記第１足場の足場用吊り枠の下部の親パイプに取り付けた短管状の連結用パイプに嵌め込んで、互いの足場用吊り枠の下部の親パイプを一直線状になるように連結し、互いの足場用吊り枠の上部の親パイプ同士を別に予め用意していた長管状の連結パイプで取付固定具を用いて連結固定してから、前記開閉式連結具を取り除き、第２足場の前後の下部の各親パイプ間に板材保持用の渡しパイプを複数列架け渡して取付固定し、これらの複数列の板材保持用の渡しパイプ上に複数枚の足場用板材を敷き詰めて第２足場を構成し、順次上記施工作業を繰り返して第３足場以上を連設して所望の長さの足場を施工するようにしたことを特徴としている。
【００１５】
請求項２に記載の発明は、前記第１足場の後側の下部の親パイプの上に、前後方向に別の複数列の板材保持用の渡しパイプを、前記第１足場より奥方向に所定間隔おいてチェーンで吊設された奥側足場用吊り枠の下部の親パイプまで架け渡して取付固定し、これらの複数列の板材保持用の渡しパイプ上に複数枚の足場用板材を敷き詰めて奥側足場を構成して、順次上記施工作業を繰り返して奥側足場を拡げて所望の幅の足場を施工するようにしたことを特徴としている。
請求項３に記載の発明は、前記渡しパイプとして角パイプを用いて施工するようにしたことを特徴としている。
【００１８】
【発明の実施の形態】
以下、本発明に係る足場用吊り金具、足場用吊り枠及び足場施工方法の実施の形態について、図を参照しつつ説明する。
先ず、図１〜図５を参照しつつ、本発明に係る足場用吊り金具の実施形態について説明する。
図１は実施形態の足場用吊り金具を示し、（ａ）はその正面図、（ｂ）はその側面図、図２は図１の足場用吊り具の斜視図、図３は別例の足場用吊り金具を示し、（ａ）はその正面図、（ｂ）はその側面図、図４は図３の足場用吊り具の斜視図、図５は図１（ａ）（ｂ）、図２に示す足場用吊り具を用いた足場用吊り枠を示すものである。
【００１９】
本実施形態の足場用吊り金具１は、図１（ａ）（ｂ）、図２に示すように、中間部の縦板状の繋ぎ板材９の上下に短管状の丸パイプ２、３を溶着等によって一体に形成し、正面視横向き略Ｈ字形になるようにしたものである。
この足場用吊り金具１は、図５に示すように、上下の短管状の丸パイプ２、３を横方向に複数列設して、これら上下の短管状の丸パイプ２、３にそれぞれ若干小径の長管状の丸パイプ４、５からなる各親パイプが連通して挿入されて、これらの親パイプの上下位置を保持するように構成することによって足場用吊り枠６が造られるようになっている。
【００２０】
更に、足場用吊り枠６の下部の長管状の丸パイプ５には、その一端に若干大径の連結用丸パイプ７が嵌め込まれてビス８又はボルト、ナットで接続固定されていて、この連結用丸パイプ７の先端部に他の足場用吊り枠６の下部の長管状の丸パイプ５を嵌め込んで一直線状になるように接続されるようになっている。
尚、この足場用吊り金具１と足場用吊り枠６は、後述する本発明の足場施工方法の実施形態に使用している。
【００２１】
また、図３（ａ）（ｂ）、図４に示すように、中間部の縦板状の繋ぎ板材９の上部に短管状の丸パイプ２を溶着等によって一体に形成するとともに、下部に短管状の角パイプ３Ａを溶着等によって一体に形成し、正面視横向き略Ｈ字形になるようにしてもよい。
この場合、上部の短管状の丸パイプ２には、若干小径の長管状の丸パイプ４からなる親パイプが連通して挿入され、下部の短管状の角パイプ３Ａには、若干小径の長管状の角パイプ（図示略）からなる親パイプが連通して挿入されて、これらの親パイプの上下位置を保持するように構成することによって足場用吊り枠が造られるようになっている。
【００２２】
また、図示しないが、中間部の縦板状の繋ぎ板材９の上部に短管状の角パイプ３Ａを溶着等によって一体に形成するとともに、下部に短管状の丸パイプ２を溶着等によって一体に形成し、正面視横向き略Ｈ字形になるようにしてもよい。
この場合、上部の短管状の角パイプ３Ａには、若干小径の長管状の角パイプからなる親パイプが連通して挿入され、下部の短管状の丸パイプ２には、若干小径の長管状の丸パイプ４からなる親パイプが連通して挿入されて、これらの親パイプの上下位置を保持するように構成することによって足場用吊り枠が造られるようになっている。
【００２３】
図６は本発明の実施形態の足場用吊り枠を示し、（ａ）はその左側面図、（ｂ）はその正面図、（ｃ）はその右側面図、図７は別例の足場用吊り枠を示し、（ａ）はその左側面図、（ｂ）はその正面図、（ｃ）はその右側面図である。
図６（ａ）（ｂ）（ｃ）に示す足場用吊り枠１０は、上部の長管状の角パイプ１１と下部の長管状の丸パイプ１２とを複数の中間部の縦板状の繋ぎ板材１３でその上下間隔を保った状態で溶着等によって一体に構成したものである。
【００２４】
更に、足場用吊り枠１０の下部の長管状の丸パイプ１２には、その一端に若干大径の接続用丸パイプ１８が嵌め込まれてビス１４又はボルト、ナットで接続固定されていて、この接続用丸パイプ１８の先端部に他の足場用吊り枠１０の下部の長管状の丸パイプ１２を嵌め込んで一直線状になるように接続されるようになっている。
尚、この足場用吊り枠１０は、後述する本発明の足場施工方法の実施形態に使用している。
【００２５】
図７（ａ）（ｂ）（ｃ）に示す足場用吊り枠１５は、上部の長管状の丸パイプ１２と下部の長管状の角パイプ１１とを複数の中間部の縦板状の繋ぎ板材１３でその上下間隔を保った状態で溶着等によって一体に構成したものである。
【００２６】
更に、足場用吊り枠１５の下部の長管状の角パイプ１１には、その一端に若干大径の接続用角パイプ１６が嵌め込まれてビス１４又はボルト、ナットで接続固定されていて、この接続用角パイプ１６の先端部に他の足場用吊り枠１５の下部の長管状の角パイプ１１を嵌め込んで一直線状になるように接続されるようになっている。
尚、この足場用吊り枠１５は、後述する本発明の足場施工方法の実施形態に使用している。
【００２７】
また、足場用吊り枠として、上記した２例の足場用吊り枠１０、１５の他に、図８〜図１１、図１２〜図１４に示すように、上下の長管状の丸パイプ１２、１２を複数の中間部の縦板状の繋ぎ部材１３でそれぞれ上下間隔を保った状態で溶着等によって一体に構成した足場用吊り枠１７もある。
更に、この足場用吊り枠１７の下部の長管状の丸パイプ１２には、その一端に若干大径の接続用丸パイプ１８が嵌め込まれてビス１４又はボルト、ナットで接続固定されていて、この接続用丸パイプ１８の先端部に他の足場用吊り枠１７の下部の長管状の丸パイプ１２を嵌め込んで一直線状になるように接続されるようになっている。
【００２８】
図８は第１例の足場を示す斜視図、図９は図８の足場の長手方向一端にもう１つの足場を連設した状態を示す斜視図、図１０は図９の足場の長手方向一端にもう１つの足場を連設した状態を示す斜視図、図１１は図８〜図１０に示す第１例の足場を高速道路の側部に吊設した状態を示す部分側面図である。
図８に示す足場２０は、図１１に示す高速道路Ｋや架橋等の側部に吊設されるものであって、足場用吊り枠１７を用いていて、上下の長管状の丸パイプ１２、１２の間の間隙に丸パイプからなる板状保持用の渡しパイプ２１が複数列架け渡されていて、これらの複数の板材保持用の渡しパイプ２１上に複数枚の足場用板材２２が敷き詰められるとともに、図１１に示すように、上部の丸パイプ１２からなる親パイプの長手方向複数箇所を、高速道路Ｋや架橋から吊り下げられたチェーンＴの下端近傍箇所を取り付け固定するようにして使用されるものである。
【００２９】
この足場２０には、図８に示すように、幅方向両端に長平板からなる縦板材２３、２４が縦向きに取り付けられるようになっていて、これは、複数の渡しパイプ２１に図１８に示す直交クランプ２５を介して縦向きの短管状の段付き丸パイプ２６が縦向きにそれぞれ接続され、これらの縦向きの短管状の段付き丸パイプ２６で縦板材２３、２４が縦向きに支えられて取り付けられている。
この足場２０は図９、図１０に示すように、長手方向に２枚以上複数枚連結連設して高速道路Ｋや架橋等の側部に吊設して必要な長さ分設置することが可能である。
【００３０】
図１２は第２例の足場の組み付け途中の状態を示す斜視図、図１３は第２例の足場の組み付け完了時の状態を示す斜視図、図１４は第２例の足場を幅方向と長手方向に２枚ずつ合計４枚組み付けた状態を示す斜視図である。
この第２例の足場３０は、高速道路や架橋等の下面下方に吊設状態で設置されるものであって、図１２に示すように、足場用吊り枠１７の上下の長管状の丸パイプ１２、１２の間の間隙に角パイプからなる板状保持用の渡しパイプ３１が複数列架け渡されていて、この渡しパイプ３１上に、図１３に示すように、幅方向に向けて複数枚（この図１３では１５枚）、足場用板材３６が敷き詰められ、第１ユニット３２を構成している。
【００３１】
そして、図１４に示すように、長手方向には、下部の長管状の丸パイプ１２の左端に取り付けられた短管状の接続用丸パイプ１８に左側の足場用吊り枠１７の下部の長管状の丸パイプ１２の右端部が嵌め込まれて、第１ユニット３２と同構成の第２ユニット３３が接続され、その接続箇所の上部の長管状の丸パイプ１２を長管状の連結パイプ３４で複数の自在クランプ３５を介して接続固定している。
更に、幅方向には、奥側の足場用吊り枠１７の下部の丸パイプ１２の上側の間隙に別の角パイプからなる板材保持用の渡しパイプ３１を最奥部の足場用吊り枠１７の下部の丸パイプの上側の間隙に複数列架け渡して、これらの渡しパイプ３１上に、幅方向に向けて複数枚の足場用板材３６が敷き詰められて第３ユニット３７、第４ユニット３８が連設されるようになっている。
このようにして、第５ユニット、第６ユニットと足場３０を拡げていって、所望の長さと広さの足場３０を設置することが可能である。
【００３２】
図１５は足場の足場用吊り枠を高速道路や架橋等に吊設するときの状態を示す部分正面図、図１６は図１５に示す足場の部分側面図である。
図１５、図１６に示すように、足場に組み付けられた足場用吊り枠６を高速道路や架橋等の底面４０に吊設するには、この底面４０から吊り下げられた複数のチェーンＴの下端を上部の丸パイプ４の複数箇所に巻き通して足場用吊り枠６を吊り下げて足場を底面４０の下方に設置する。
【００３３】
図１７は本発明の実施形態の足場施工方法に用いられるバタフライクランプからなる開閉式連結具を示し、図１８は直交クランプとこの直交クランプに差し込んで取り付ける短管状の段付き丸パイプを示している。
図１７に示すバタフライクランプからなる開閉式連結具５０は、大型の蝶番５１の両板状部５２、５３に、挟み込みと開放可能な大小のクランプ部５４、５５が溶着等で一体に設けられ、これらの大小のクランプ部５４、５５の先端のボルト部５６、５７を図にて水平向きにして、ナット部材５８、５９を螺進螺退させることによって、クランプ部５４、５５で丸パイプ等を締め付け固定したり、取り外し可能状態とするようにして使用されるものである。
【００３４】
図１８に示す直交クランプ２５と段付き丸パイプ２６からなるジョイントピンは、直交クランプ２５の水平向き部分２５ａの差込み穴状部２５ｂに段付き丸パイプ２６の大径パイプ部分２６ａを縦向きに差し込んで、予め直交クランプ２５の縦向き部分２５ｃの差込み穴部２５ｄに水平向きに差し込まれるパイプと段付き丸パイプ２６とを直交する向きに接続するために用いられるものである。
図１８に示す段付き丸パイプ２６からなるジョイントピンは、上部が短管状のパイプ２６ｂになっていて、この短管状のパイプ２６ｂの上端に、ジョイント用の係止溝２６ｃが前後２箇所に穿設されており、段部２６ｄを介して大径丸パイプ部分２６ａが一体に設けられた形状をなしている。
【００３５】
図１９は本発明の足場施工方法の一実施形態の第１工程を示す説明図、図２０は同足場施工方法の第２工程を示す説明図、図２１は同足場施工方法の第３工程を示す説明図、図２２は同足場施工方法の第４工程を示す説明図である。
尚、本実施形態の足場施工方法では、便宜上図５に示す足場用吊り枠６を図示して説明するが、足場用吊り枠としては、これに限らず、図６に示す足場用吊り枠１０、図７に示す足場用吊り枠１５及び図８に示す足場用吊り枠１７を用いても良いものである。
【００３６】
本実施形態の足場施工方法は、高速道路施工時や架橋施工時等にその高速道路や架橋等の下方に足場として吊設され、足場上で施工作業を行う直前に足場を組み付けるようにした足場施工方法である。
そして、図示しないが、複数の足場用吊り金具１の上下の短管状の丸パイプ２、３にそれぞれ若干小径の長管状の丸パイプ４、５からなる各親パイプが連通して挿入されることによって構成された足場用吊り枠６を用い、先ず、前後に配設された足場用吊り枠６の上部の長管状の丸パイプ４からなる各親パイプを高速道路や架橋等から吊り下げられたチェーンＴで吊設し、これら前後の足場用吊り枠６における下部の長管状の丸パイプ５からなる親パイプ間に角パイプからなる板材保持用の渡しパイプ３１を複数列架け渡して取付固定し、これらの複数列の板材保持用の渡しパイプ３１上に複数枚の足場用板材３６を敷き詰めて第１足場６１を構成する。
【００３７】
次に、図１９に示すように、第１足場６１の足場用吊り枠６の下部の長管状の丸パイプ５からなる親パイプに予め取り付けられた短管状の連結用パイプ７の先端に図１７に示すバタフライクランプからなる開閉式連結具５０の一方側を仮付けし、この開閉式連結具５０の他方側に第２足場６２の足場用吊り枠６の下部の長管状の丸パイプ５からなる親パイプを接続するために、第１足場６１に対して略水平方向横向きにワイヤーＷで吊設した第２足場６２の足場用吊り枠６の下部の長管状の丸パイプ５からなる親パイプを連結状態に仮付けする。
【００３８】
更に、図２０に示すように、第２足場６２の足場用吊り枠６を第１足場６１の足場用吊り枠６に対して直線状になるように徐々に移動して、第２足場６２の足場用吊り枠６の下部の長管状の丸パイプ５からなる親パイプの先端を、第１足場５１の足場用吊り枠６の下部の長管状の丸パイプ５からなる親パイプに取り付けた短管状の連結用パイプ７に嵌め込んで、図２１に示すように、互いの足場用吊り枠６の下部の長管状の丸パイプ５からなる親パイプを一直線状になるように連結し、互いの足場用吊り枠６の上部の長管状の丸パイプ４からなる親パイプ同士を別に予め用意していた長管状の連結パイプ３４で複数の自在クランプ３５からなる取付固定具を用いて連結固定してから、開閉式連結具５０を取り除いて図２２に示す状態となし、第２足場６２の前後の下部の長管状の丸パイプ５からなる各親パイプ間に角パイプからなる板材保持用の渡しパイプ３１を複数列架け渡して取付固定する。
【００３９】
そして、これらの複数列の板材保持用の渡しパイプ３１上に複数枚の足場用板材３６を敷き詰めて第２足場６２を構成し、順次上記施工作業を繰り返して第３足場以上を連設して所望の長さの足場を施工するようにする。
【００４０】
また、図１４に示すように、第１足場６１の後側の下部の長管状の丸パイプ５からなる親パイプの上に、前後方向に別の複数列の板材保持用の渡しパイプ３１を、第１足場６１より奥方向に所定間隔おいてチェーンＴで吊設された奥側足場用吊り枠６の下部の長管状の丸パイプ５からなる親パイプまで架け渡して取付固定し、これらの複数列の板材保持用の渡しパイプ３１上に複数枚の足場用板材３６を敷き詰めて奥側足場を構成して、順次上記施工作業を繰り返して奥側足場を拡げて所望の幅の足場を施工することも可能である。
【００４１】
尚、高速道路等のように、下方に作業車が通ることができる広場等が有る場合には、作業床を有したパネル状の第１足場６１をあらかじめ組んでおき、作業現場にユニック車で搬入する。そして高所作業車を使用して親綱を作業箇所に貼り、搬入したパネル状の第１足場６１をユニック車もしくはレッカー車で吊り上げて作業員の指示で作業箇所迄持って行く。更に、高所作業車に乗った作業員達が１つ目のパネル状の第１足場６１にチェーンＴを取付けて振れ止めパイプを取付けて作業箇所に吊込み、作業員達は高所作業車から吊りこんだ１つ目のパネル状の第１足場６１に乗り移る。この状態で、上記したように、図１９〜図２０に示す足場施工方法で第２足場６２を第１足場６１に連設して、順次第３足場、第４足場と連設するようにしてもよい。
【００４２】
【発明の効果】
以上説明したように、請求項１に記載の発明は、高速道路施工時や架橋施工時等にその高速道路や架橋等の下方に足場として吊設され、足場上で施工作業を行う直前に足場を組み付けるようにした足場施工方法であって、上下の親パイプが複数の繋ぎ板材でその上下間隔を保った状態に一体に形成され、下部の親パイプの一端側に接続用パイプが取り付けられた足場用吊り枠を用い、先ず、前後に配設された足場用吊り枠の上部の各親パイプを高速道路や架橋等から吊り下げられたチェーンで吊設し、これら前後の足場用吊り枠における下部の親パイプ間に板材保持用の渡しパイプを複数列架け渡して取付固定し、これらの複数列の板材保持用の渡しパイプ上に複数枚の足場用板材を敷き詰めて第１足場を構成し、次に、第１足場の足場用吊り枠の下部の親パイプに予め取り付けられた短管状の連結用パイプの先端に開閉式連結具の一方側を仮付けし、この開閉式連結具の他方側に第２足場の足場用吊り枠の下部の親パイプを接続するために、第１足場に対して略水平方向横向きにワイヤーで吊設した第２足場の足場用吊り枠の下部の親パイプを連結状態に仮付けして、第２足場の足場用吊り枠を第１足場の足場用吊り枠に対して直線状になるように徐々に移動して、第２足場の足場用吊り枠の下部の親パイプの先端を、第１足場の足場用吊り枠の下部の親パイプに取り付けた短管状の連結用パイプに嵌め込んで、互いの足場用吊り枠の下部の親パイプを一直線状になるように連結し、互いの足場用吊り枠の上部の親パイプ同士を別に予め用意していた長管状の連結パイプで取付固定具を用いて連結固定してから、開閉式連結具を取り除き、第２足場の前後の下部の各親パイプ間に板材保持用の渡しパイプを複数列架け渡して取付固定し、これらの複数列の板材保持用の渡しパイプ上に複数枚の足場用板材を敷き詰めて第２足場を構成し、順次上記施工作業を繰り返して第３足場以上を連設して所望の長さの足場を施工するように構成したので、以下に述べる効果を奏する。
即ち、現存する資材を使用して制作することができて、資材の調達に不自由することなく安価に入手することができ、安価に制作することができ、しかも施工が行ない易く、チェーンを足場用板材の上側に位置する親パイプに架けて足場を吊設することができて隙間の大きさを最小限に抑えることができ、作業用工具等の落下を防ぐことができて安全であり、はらおこし用パイプを足場用板材の上面に架け渡すことがなくて足場用板材の上面をフラットな面にできて作業が行ない易く、しかも、架橋等の下方に足場を吊り上げるためのクレーン車等を置く場所の無い場所でも足場を組み付けて設置することができる。
【００４３】
請求項２に記載の発明は、第１足場の後側の下部の親パイプの上に、前後方向に別の複数列の板材保持用の渡しパイプを、第１足場より奥方向に所定間隔おいてチェーンで吊設された奥側足場用吊り枠の下部の親パイプまで架け渡して取付固定し、これらの複数列の板材保持用の渡しパイプ上に複数枚の足場用板材を敷き詰めて奥側足場を構成して、順次上記施工作業を繰り返して奥側足場を拡げて所望の幅の足場を施工するようにしたので、作業床部分を広く取ることができて作業を行ない易く、チェーンを足場用板材の上側に位置する親パイプに架けて足場を吊設することができて隙間の大きさを最小限に抑えることができ、作業用工具等の落下を防ぐことができて安全であり、はらおこし用パイプを足場用板材の上面に架け渡すことがなくて足場用板材の上面をフラットな面にできて作業が行ない易く、しかも、架橋等の下方に足場を吊り上げるためのクレーン車等を置く場所の無い場所でも足場を組み付けて設置することができる。
また、請求項３に記載の発明は、渡しパイプとして角パイプを用いて施工するようにしたので、足場用板材を強固に保持することができて、この足場用板材上での作業を安全に行うことができる。
【図面の簡単な説明】
【図１】実施形態の足場用吊り金具を示し、（ａ）はその正面図、（ｂ）はその側面図である。
【図２】図１の足場用吊り具の斜視図である。
【図３】別例の足場用吊り金具を示し、（ａ）はその正面図、（ｂ）はその側面図である。
【図４】図３の足場用吊り具の斜視図である。
【図５】図１（ａ）（ｂ）、図２に示す足場用吊り具を用いた足場用吊り枠を示すものである。
【図６】本発明の実施形態の足場用吊り枠を示し、（ａ）はその左側面図、（ｂ）はその正面図、（ｃ）はその右側面図である。
【図７】別例の足場用吊り枠を示し、（ａ）はその左側面図、（ｂ）はその正面図、（ｃ）はその右側面図である。
【図８】第１例の足場を示す斜視図である。
【図９】図８の足場の長手方向一端にもう１つの足場を連設した状態を示す斜視図である。
【図１０】図９の足場の長手方向一端にもう１つの足場を連設した状態を示す斜視図である。
【図１１】図８〜図１０に示す第１例の足場を高速道路の側部に吊設した状態を示す部分側面図である。
【図１２】第２例の足場の組み付け途中の状態を示す斜視図である。
【図１３】第２例の足場の組み付け完了時の状態を示す斜視図である。
【図１４】第２例の足場を幅方向と長手方向に２枚ずつ合計４枚組み付けた状態を示す斜視図である。
【図１５】足場の足場用吊り枠を高速道路や架橋等に吊設するときの状態を示す部分正面図である。
【図１６】図１５に示す足場の部分側面図である。
【図１７】本発明の実施形態の足場施工方法に用いられるバタフライクランプからなる開閉式連結具である。
【図１８】直交クランプとこの直交クランプに差し込んで取り付ける短管状の段付き丸パイプを示している。
【図１９】本発明の足場施工方法の一実施形態の第１工程を示す説明図である。
【図２０】同足場施工方法の第２工程を示す説明図である。
【図２１】同足場施工方法の第３工程を示す説明図である。
【図２２】同足場施工方法の第４工程を示す説明図である。
【図２３】従来の第１例の足場を示す正面図である。
【図２４】従来の第１例の足場を示す側面図である。
【図２５】従来の第１例の足場を示す概略平面図である。
【図２６】従来の第２例の足場の足場単体を示す斜視図である。
【図２７】従来の第２例の足場を示す平面図である。
【図２８】従来の第２例の足場における幅方向の足場単体同士の連結状態を示す部分平面図である。
【図２９】従来の第２例の足場に示す長手方向の足場単体同士の連結状態を示し、（ａ）はその吊設状態における連結状態の説明図、（ｂ）はその全体の平面図、（ｃ）はその隣同士の足場単体の連結状態の部分拡大平面図である。
【図３０】従来の第３例の足場の親パイプを示す平面図である。
【図３１】従来の第３例の足場を示し、（ａ）はその平面図、（ｂ）はその親パイプと渡しパイプとの連結状態を示す部分斜視図である。
【図３２】従来の第３例の足場を示し、（ａ）はその正面図、（ｂ）はその親パイプ同士の連結状態を示す部分分解斜視図である。
【図３３】従来の吊設した足場にシートを敷いた状態を示す部分側面図である。
【図３４】建造物の側方に組み立てられた足場に使用する吊り枠を示し、（ａ）はその正面図、（ｂ）は吊り枠の使用状態を示す概略図である。
【符号の説明】
１          足場用吊り金具
２          短管状の丸パイプ
３          短管状の丸パイプ
３Ａ        短管状の角パイプ
長管状の丸パイプからなる親パイプ
６          足場用吊り枠
７          連結用丸パイプ
９          繋ぎ板材
１０        足場用吊り枠
１１        長管状の角パイプからなる親パイプ
１２        長管状の丸パイプからなる親パイプ
１３        繋ぎ板材
１５        足場用吊り枠
１６        接続用角パイプ
１７        足場用吊り枠
１８        接続用丸パイプ
２０        足場
２１        渡しパイプ
２２        足場用板材
３０        足場
３１        渡しパイプ
３４        長管状の連結パイプ
３５        自在クランプ
３６        足場用板材
５０        開閉式連結具
６１        第１足場
６２        第２足場
Ｗ          ワイヤー
Ｔ          チェーン
【図１】
0003761800.tif 000002
【図２】
0003761800.tif 000003
【図３】
0003761800.tif 000004
【図４】
0003761800.tif 000005
【図５】
0003761800.tif 000006
【図６】
0003761800.tif 000007
【図７】
0003761800.tif 000008
【図８】
0003761800.tif 000009
【図９】
0003761800.tif 000010
【図１０】
0003761800.tif 000011
【図１１】
0003761800.tif 000012
【図１２】
0003761800.tif 000013
【図１３】
0003761800.tif 000014
【図１４】
0003761800.tif 000015
【図１５】
0003761800.tif 000016
【図１６】
0003761800.tif 000017
【図１７】
0003761800.tif 000018
【図１８】
0003761800.tif 000019
【図１９】
0003761800.tif 000020
【図２０】
0003761800.tif 000021
【図２１】
0003761800.tif 000022
【図２２】
0003761800.tif 000023
【図２３】
0003761800.tif 000024
【図２４】
0003761800.tif 000025
【図２５】
0003761800.tif 000026
【図２６】
0003761800.tif 000027
【図２７】
0003761800.tif 000028
【図２８】
0003761800.tif 000029
【図２９】
0003761800.tif 000030
【図３０】
0003761800.tif 000031
【図３１】
0003761800.tif 000032
【図３２】
0003761800.tif 000033
【図３３】
0003761800.tif 000034
【図３４】
0003761800.tif 000035